(57)【要約】【課題】紐付きの収納袋の紐に引っ掛けて使用する提げ手であって、係止が簡単で、提げ手や紐がずれない。又、手が痛くならないようにする。【解決手段】提げ荷物に巻き回された紐に係止する第１フック２、第２フック３及び中央フック４を具備し、第１フック２、第２フック３及び中央フック４は、それぞれ下部に曲り部２ａ，３ａ，４ａを具備する。全体構成が合成樹脂の一体物からなる。中央フック４は、樹脂弾性を有し、提げ荷物に交差状に巻き回された紐２０の交差部に係止される。【選択図】図１
2005319052.tif 000002
【特許請求の範囲】
【請求項１】
提げ荷物に巻き回された梱包用の紐に係止する第１フック、第２フック及び中央フックを具備することを特徴とする提げ手。
【請求項２】
第１フック、第２フック及び中央フックは、それぞれ下部に曲り部を具備することを特徴とする請求項１記載の提げ手。
【請求項３】
全体構成が合成樹脂の一体物からなることを特徴とする請求項２記載の提げ手。
【請求項４】
中央フックの曲り部が、側方に変位していることを特徴とする請求項２記載の提げ手。
【請求項５】
少なくとも中央フックは、樹脂弾性を有することを特徴とする請求項３記載の提げ手。
【請求項６】
中央フックは、提げ荷物に交差状に巻き回された紐の交差部に係止されることを特徴とする請求項１乃至５記載のいずれかの提げ手。
【発明の詳細な説明】
【技術分野】
【０００１】
本発明は、提げ手に関し、更に詳しくは、荷物に巻回された梱包用の紐に引っ掛けて運搬しやすいように形成された提げ手に関する。
【背景技術】
【０００２】
従来、荷物の包装用紐に着脱させる提げ手は公知である（特許文献１）。
また、荷物に掛けた十文字の紐の交点近傍部分に引っ掛ける提げ手も公知である（特許文献２）。
【０００３】
しかしながら、上記公知のいずれの提げ手も、吊り下げ状態とすることで紐に対して提げ手が移動することがあるという問題があり、更には、紐が荷物に対して移動する場合があるという問題があった。また、フック付買物用取手として、係止曲り部が３つあるものが特許文献３に開示されているが、これは、買物袋の手持ち部が手に食い込むことを避けるために考案されたものであり、紐が存在しない買物袋用であって、上記問題点の解決にはならないものである。
【０００４】
【特許文献１】実用新案登録第３０８１８２６号公報
【特許文献２】実開２００１−３４６６２３号公報
【特許文献３】実開平０５−７０３２９号公報
【発明の開示】
【発明が解決しようとする課題】
【０００５】
したがって、本発明は、上記従来技術の問題点を解消することを課題とするもので、梱包用の紐付きの収納袋の紐に引っ掛けて使用する提げ手であって、係止が簡単で、紐がずれず、手が痛くならない提げ手を提供することにある。
【課題を解決するための手段】
【０００６】
そこで、上記課題を解決するための手段として、下記の手段を講じた。
請求項１記載の提げ手は、提げ荷物に巻き回された梱包用の紐に係止する第１フック、第２フック及び中央フックを具備することを特徴とする。
請求項２記載の提げ手は、請求項１記載の提げ手において、第１フック、第２フック及び中央フックは、それぞれ下部に曲り部を具備することを特徴とする。
【０００７】
請求項３記載の提げ手は、請求項２記載の提げ手において、全体構成が合成樹脂の一体物からなることを特徴とする。
請求項４記載の提げ手は、請求項２記載の提げ手において、中央フックの曲り部が、側方に変位していることを特徴とする。
【０００８】
請求項５記載の提げ手は、請求項３記載の提げ手において、少なくとも中央フックは、樹脂弾性を有することを特徴とする。
請求項６記載の提げ手は、請求項１乃至５記載のいずれかの提げ手において、中央フックは、提げ荷物に交差状に巻き回された紐の交差部に係止されることを特徴とする。
【発明の効果】
【０００９】
本発明は、提げ手において、梱包紐に対する係止が簡単であり、係止後は、紐・提げ手共にその位置がずれず、また、把持部を有することで、手が痛くならない効果がある。
【発明を実施するための最良の形態】
【００１０】
以下、本発明を実施するための最良の形態を図面に基づいて説明する。図１はその提げ手の正面図、図２は提げ手を用いる袋の例をしめす斜視図、図３は紐掛け作業中の袋の斜視図、図４は紐掛け後の掛け紐の交差部の斜視図、図５は提げ手を袋の紐に係止した状態の斜視図である。尚、図３は、投入された古新聞は記載が省略されている。
【００１１】
（提げ手）
提げ手１は、図１に示すように、袋１０の梱包用の紐２０に係止する第１フック２と第２フック３と中央フック４と、各フック２，３，４の上端部を一体に支持するフック取付部６と、該フック取付部６の上部に形成される把持部５とからなり、各フック２，３，４のそれぞれの下端には、直接紐２０に掛け止される曲り部２ａ、曲り部３ａ及び曲り部４ａが形成される。
そして、この提げ手１は全体形状を、合成樹脂等を素材として一体成形される。なお、上記提げ手１の全体形状は、略同一平面において形成されるが、図６に示すように、中央フック４及びその端部に形成されている曲り部４ａを側方に変位させると、紐２０への係止が容易になる。
【００１２】
（提げ荷物）
提げ手１を適用する提げ荷物の例は、古新聞用袋である。古新聞用袋は、上面が解放された紙製で箱状の袋１０と、該袋１０に糊付け（取付部２１）されたループ状紐２０からなる。  
【００１３】
（袋１０）
袋１０は、紙製で、底板、第１側板１１、第２側板１２、第３側板１３及び第４側板１４からなり、使用前の状態では折り畳まれているが、図２に示すように、使用準備状態では、全体として直方体形状で上面が開放されている。
以下、この状態で以下説明する。この状態では、水平断面が公知の古新聞用袋と同じ大きさの長方形状に形成されている（４つ折状態）。そして、相対する第１側板１１及び第３側板１３の上辺部１１ａ，１３ａの高さは、古新聞用袋の適正最終収納量の高さに設計されており、第２側板１２及び第４側板１４の上辺部１２ａ，１４ａは、上辺部１１ａ，１３ａより高く形成され、その高い部分がカバー部１２ｂ、１４ｂを構成している。更に、各側板間の角部１５の上部は、切込部１５ａが形成されている。
【００１４】
（ループ状紐２０）
梱包用のループ状紐２０は、図２，３に示すように、袋１０内に古新聞を所定量、即ち、第１側板１１及び第３側板１３の上辺部１１ａ，１３ａの高さまで収納し（適正最終収納量）、クロス掛けした状態でその外周長と略等しい長さに設計されている。その素材は、安価で耐引張力が大のものが好ましく、特にＰＰ（ポリプロピレン）のテープが好ましい。そして、図２に示すように、このループ状紐２０は折り曲げられて、第２側板１２、底板（符号なし）及び第４側板１４に取り外し可能に糊付けされている（取付部２１を構成）。なお、糊付け位置は、図面に示す位置の外、第２側板１２、底板（図示せず。この場合、袋１０が開状態では、ループ状紐２０が視認できないことから、特に都合がよい。）及び第４側板１４の左右方向の中央部分等いかなる部分でも良い。また、糊付け状態のループ状紐２０の状態は、どのような形状であってもよい。
【００１５】
（袋の使用方法）
次に、使用方法を図面に従って説明する。
先ず、適宜折り畳まれた状態の本発明に係る古新聞用袋を、図２に示すような使用準備状態とする。この状態では、ループ状紐２０は袋１０に糊付けされたままである。
【００１６】
古新聞が投入され、略満杯（最終収納量）になったら、ループ状紐２０を袋１０から取外す（一部、糊付けのままでもよい）。
次に、図３に示すように、一回ひねって、直角方向にかけまわし十文字にする。この状態でループ状紐２０の締結状態が緩い場合は、更に、古新聞を追加してもよい。
【００１７】
（提げ手１の適用）
上記提げ手１は、図３に示すように、ループ状紐２０を、一回ひねって、直角方向にかけまわして十文字にし、図４に示す捻り部２０ａ近傍に、図５に示すように装着する。装着に当っては、中央フック４の曲り部４ａをループ状紐２０の交差部である捻り部２０ａに係止し、第１フック２の曲り部２ａ及び第２フック３の曲り部３ａをその左右のループ状紐２０に係止する。
（効果）
【００１８】
上記構成により、中央フック４の曲り部４ａを捻り部２０ａに係止することで、提げ手１とループ状紐２０とがずれることがなく、また、ループ状紐２０自体が古新聞用袋からずれることなく、円滑に古新聞用袋を、提げた状態で持ち運ぶことが可能となった。
【産業上の利用可能性】
【００１９】
本発明は、各種梱包のための紐付きの提げ荷物に適用できる。
【図面の簡単な説明】
【００２０】
【図１】本発明に係る提げ手の正面図。
【図２】提げ手を用いる袋の例をしめす斜視図。
【図３】紐掛け作業中の袋の斜視図。
【図４】紐掛け後の掛け紐の交差部の斜視図。
【図５】提げ手を袋の紐に係止した状態の斜視図。
【図６】提げ手の別例の側面図。
【符号の説明】
【００２１】
１・・提げ手    ２・・第１フック  ２ａ・・曲り部
３・・第２フック  ３ａ・・曲り部  ４・・中央フック  ４ａ・・曲り部
５・・把持部    ６・・フック取付部
１０・・（提げ荷物）袋
１１・・第１側板  １１ａ・・上辺部１１ａ
１２・・第２側板  １２ａ・・上辺部１２ａ  １２ｂ・・カバー部
１３・・第３側板  １３ａ・・上辺部１３ａ
１４・・第４側板  １４ａ・・上辺部１４ａ  １４ｂ・・カバー部
１５・・角部  １５ａ・・切込部
２０・・（紐）ループ状紐  ２０ａ・・捻り部  ２１・・取付部
【図１】
2005319052.tif 000003
【図２】
2005319052.tif 000004
【図３】
2005319052.tif 000005
【図４】
2005319052.tif 000006
【図５】
2005319052.tif 000007
【図６】
2005319052.tif 000008